(57)【要約】【課題】外部の電源に接続されてから所定の時間経過後に自動的に通電させることができるようにする。【解決手段】電源制御回路１１の内部にはARB(Auto Reset Breaker)が設けられる。遠隔装置１が電柱上に設置され、商用電源に接続されたとき、電圧の変化、または電流の変化がARBにより検出され、所定の時間経過後に自動的に電源がオンになる。電力線から供給された交流電源に基づいて電源制御回路１１において直流電源が生成され、生成された直流電源が信号処理回路１２に供給される。信号処理回路１２の動作が開始し、宅内装置により行われる通信の中継が信号処理回路１２において行われる。本発明は、FTTR方式の通信システムで用いられる遠隔装置に適用することができる。【選択図】図３
2010239746.tif 000002
【特許請求の範囲】
【請求項１】
第１の回線に接続されるとともに、屋内装置が接続される第２の回線に接続され、前記第１と第２の回線を介して行われる前記屋内装置による通信を中継する遠隔装置において、
前記第１と第２の回線を介して行われる通信を制御する信号処理手段と、
外部の電源に接続されたときに生じる電圧の変化、または電流の変化を検出する検出手段と、
電圧の変化、または電流の変化が前記検出手段により検出されてから所定の時間経過後に、前記信号処理手段に対する、前記外部の電源に基づいて得られた電源の供給を開始する電源制御手段と
を備える遠隔装置。
【請求項２】
前記検出手段と前記電源制御手段は、前記遠隔装置内に設けられるオートリセットブレーカが有する手段であり、
前記検出手段は、前記外部の電源としての交流電源に接続されたときに生じる電圧の変化、または電流の変化を検出し、
前記電源制御手段は、電圧の変化、または電流の変化が前記検出手段により検出されてから所定の時間経過後に、前記信号処理手段に対する電源の供給に用いられる経路上のスイッチをオフからオンに切り替え、
前記電源手段によりスイッチがオンに切り替えられたときに供給される前記交流電源を直流電源に変換し、前記信号処理手段に供給する変換手段をさらに備える
請求項１に記載の遠隔装置。
【請求項３】
前記外部の電源としての交流電源を直流電源に変換する変換手段をさらに備え、
前記検出手段は、前記変換手段により前記直流電源が得られたときに生じる電圧の変化、または電流の変化を検出し、
前記電源制御手段は、電圧の変化、または電流の変化が前記検出手段により検出されてから所定の時間経過後に、前記信号処理手段に対する前記直流電源の供給に用いられる経路上のスイッチをオフからオンに切り替えることによって、前記信号処理手段に対する電源の供給を開始する
請求項１に記載の遠隔装置。
【請求項４】
前記第１の回線は光ファイバ回線であり、
前記第２の回線はDSL回線であり、
遠隔装置は、電柱上に設置される装置である
請求項１に記載の遠隔装置。
【請求項５】
第１の回線に接続されるとともに、屋内装置が接続される第２の回線に接続され、前記第１と第２の回線を介して行われる前記屋内装置による通信を中継する、前記第１と第２の回線を介して行われる通信を制御する信号処理手段を備える遠隔装置の電源制御方法において、
外部の電源に接続されたときに生じる電圧の変化、または電流の変化を検出し、
電圧の変化、または電流の変化を検出してから所定の時間経過後に、前記信号処理手段に対する、前記外部の電源に基づいて得られた電源の供給を開始する
ステップを含む電源制御方法。
【発明の詳細な説明】
【技術分野】
【０００１】
本発明は、遠隔装置、電源制御方法に関し、特に、外部の電源に接続されてから所定の時間経過後に自動的に通電させることができるようにした遠隔装置、電源制御方法に関する。
【背景技術】
【０００２】
近年、ブロードバンドサービスを行うための伝送技術としてFTTR（Fiber to the remote）が注目されている。
【０００３】
図１は、FTTRを用いた通信システムの構成例を示す図である。
【０００４】
図１に示すように、FTTRは、電話会社の局舎から、通信サービスの加入者宅の近くのき線点までの通信を光ファイバ回線を使って行い、き線点から加入者宅までの通信を既存のメタリック回線を使って行う、いわゆるラストワンマイルをカバーするものである。
【０００５】
き線点としての電柱上には、光ファイバ回線の回線終端装置であるONU(Optical Network Unit)と、遠隔装置（RT(Remote Terminal)）が設置される。ONUと遠隔装置はLAN(Local Area Network)ケーブルなどを介して接続される。
【０００６】
ONUは、局舎内の装置から光ファイバ回線を介して送信されてきた光信号を電気信号に変換し、遠隔装置に出力するとともに、遠隔装置から供給されてきた電気信号を光信号に変換し、局舎内の装置に送信する。
【０００７】
図１の例においては、GE-PON(Gigabit Ethernet-Passive Optical Network)のOLT(Optical Line Terminal)が局舎内の装置として設けられている。GE-PONは、局舎と外部の拠点間の通信を、Ethernet（商標）のフレームをそのまま送受信することによって行う技術である。OLTは、複数のOUNとの間でGE-PON方式の通信を光ファイバ回線を介して行う装置である。
【０００８】
遠隔装置は、端子函などを経由して加入者宅まで延びるメタリック回線（電話回線）にも接続される。遠隔装置は、VDSL(Very high-bit-rate Digital Subscriber Line)方式などの所定の通信方式に従って、加入者の宅内に設置されているモデムなどの宅内装置との間でメタリック回線を介して通信を行う。
【０００９】
FTTR方式の通信によって、局舎と加入者宅の間の通信を、その間に敷かれたメタリック回線だけを使って行う従来のADSL方式などの通信と較べて高速な通信が可能になる。ADSL方式の通信の場合、メタリック回線を流れる信号が減衰してしまうために、局舎と加入者宅間の距離が長くなるにつれて通信速度が遅くなってしまうが、加入者宅の近くまで光ファイバ回線を使うことによって、信号が減衰してしまう区間を短くすることが可能になる。
【先行技術文献】
【特許文献】
【００１０】
【特許文献１】特開２００７−２８２２２９号公報
【発明の概要】
【発明が解決しようとする課題】
【００１１】
ところで、電柱上に設置された遠隔装置の電源は、電柱に架けられている電力線から供給される。
【００１２】
FTTR方式を使った通信サービスの提供を開始するための一連の手順を示すと図２に示すようなものになる。
【００１３】
はじめに、図２において作業＃１として示すように、電柱上に、または電柱間に布設したメッセンジャワイヤに遠隔装置を取り付ける作業が行われる。
【００１４】
また、作業＃２として示すように、遠隔装置をメタリック回線の相互接続点に接続する作業が作業＃１と同日に行われる。
【００１５】
遠隔装置をメタリック回線の相互接続点に接続させた後、作業＃３として示すように、ONUと遠隔装置を接続することによって、遠隔装置を光ファイバ回線に接続する作業が行われる。
【００１６】
光ファイバ回線に接続した後、作業＃４として示すように、遠隔装置の筐体から出ている電源線を電力線に接続するなどして、商用電源を遠隔装置に接続する作業が行われる。この時点では遠隔装置の電源はまだオフの状態である。スイッチが操作されるなどして電源がオンになるまで遠隔装置は起動しない。遠隔装置には、電源のオン／オフを切り替えるときに操作されるスイッチが設けられている。
【００１７】
商用電源に接続した後、作業＃５として示すように、遠隔装置のスイッチを操作することによって電源をオンとし、遠隔装置を起動させる作業が行われる。
【００１８】
これにより、遠隔装置がカバーする地域にFTTR方式の通信サービスを提供することが可能になる。地域内の住宅に住む人などから通信サービス利用の申し込みがあった場合、作業＃６として示すように、端子函と相互接続点の間のメタリック回線の接続工事が行われ、利用を申し込んだ人に対して通信サービスが提供される。
【００１９】
このように、FTTR方式の通信サービスの提供を開始するための手順は基本的に６つの作業からなる。
【００２０】
作業＃１，＃２は、FTTR方式の通信サービスを提供しようとする通信事業者が管轄する作業であるから、図２の例においては、その通信事業者が手配した作業者である作業者１により行われるものとされている。
【００２１】
作業＃３は、光ファイバ回線やメタリック回線を管理する電話会社が手配した作業者である作業者２により行われ、作業＃４は、電源に関する作業であるから、電力会社の作業者である作業者３により行われるものとされている。
【００２２】
作業＃５は、作業＃１，＃２を行った作業者と同じ作業者１によって行われるものとされている。遠隔装置は通信事業者が用意したものであるから、電源をオンにする作業＃５を、商用電源を接続する作業＃４を行ったついでに電力会社の作業者である作業者３が行うといったようなことはない。
【００２３】
作業＃６は、作業＃３を行った作業者と同じ作業者２によって行われるものとされている。
【００２４】
すなわち、作業＃１，＃２と作業＃５を行う作業者１は、作業＃１，＃２を行い、日を改めるなどして、作業者３が商用電源を接続した後に設置場所に再度赴き、電源をオンにする作業＃５を行う必要がある。
【００２５】
電柱等に設置された遠隔装置を対象にした作業には高所作業のための装備を施した特殊車両が必要であり、また、高所作業のための資格を有する作業者が必要になる。FTTRを使った通信サービスを提供するには数千、数万単位の遠隔装置が必要になるため、合理的、かつ経済的に設置作業を進める必要がある。
【００２６】
仮に、商用電源が接続された後、遠隔装置の電源が自動的にオンになるとすれば、作業＃５を省くことができ、好ましい。
【００２７】
また、通信を行うための各種の設定が必要な場合、電源がオンになった後、その設定が遠隔装置により自動的に行われるとすれば、設定作業をも省くことができ、好ましい。
【００２８】
本発明はこのような状況に鑑みてなされたものであり、外部の電源に接続されてから所定の時間経過後に自動的に通電させることができるようにするものである。
【課題を解決するための手段】
【００２９】
本発明の遠隔装置は、第１の回線に接続されるとともに、屋内装置が接続される第２の回線に接続され、前記第１と第２の回線を介して行われる前記屋内装置による通信を中継する遠隔装置において、前記第１と第２の回線を介して行われる通信を制御する信号処理手段と、外部の電源に接続されたときに生じる電圧の変化、または電流の変化を検出する検出手段と、電圧の変化、または電流の変化が前記検出手段により検出されてから所定の時間経過後に、前記信号処理手段に対する、前記外部の電源に基づいて得られた電源の供給を開始する電源制御手段とを備える。
【００３０】
前記検出手段と前記電源制御手段は、前記遠隔装置内に設けられるオートリセットブレーカが有する手段であるようにすることができる。この場合、前記検出手段には、前記外部の電源としての交流電源に接続されたときに生じる電圧の変化、または電流の変化を検出させ、前記電源制御手段には、電圧の変化、または電流の変化が前記検出手段により検出されてから所定の時間経過後に、前記信号処理手段に対する電源の供給に用いられる経路上のスイッチをオフからオンに切り替えさせることができる。また、前記電源手段によりスイッチがオンに切り替えられたときに供給される前記交流電源を直流電源に変換し、前記信号処理手段に供給する変換手段をさらに設けることができる。
【００３１】
前記外部の電源としての交流電源を直流電源に変換する変換手段をさらに設けることができる。この場合、前記検出手段には、前記変換手段により前記直流電源が得られたときに生じる電圧の変化、または電流の変化を検出させ、前記電源制御手段には、電圧の変化、または電流の変化が前記検出手段により検出されてから所定の時間経過後に、前記信号処理手段に対する前記直流電源の供給に用いられる経路上のスイッチをオフからオンに切り替えることによって、前記信号処理手段に対する電源の供給を開始させることができる。
【００３２】
前記第１の回線は光ファイバ回線であり、前記第２の回線はDSL回線であり、遠隔装置は、電柱上に設置される装置であるようにすることができる。
【００３３】
本発明の電源制御方法は、第１の回線に接続されるとともに、屋内装置が接続される第２の回線に接続され、前記第１と第２の回線を介して行われる前記屋内装置による通信を中継する、前記第１と第２の回線を介して行われる通信を制御する信号処理手段を備える遠隔装置の電源制御方法において、外部の電源に接続されたときに生じる電圧の変化、または電流の変化を検出し、電圧の変化、または電流の変化を検出してから所定の時間経過後に、前記信号処理手段に対する、前記外部の電源に基づいて得られた電源の供給を開始するステップを含む。
【００３４】
本発明においては、外部の電源に接続されたときに生じる電圧の変化、または電流の変化が検出され、電圧の変化、または電流の変化が検出されてから所定の時間経過後に、信号処理手段に対する、外部の電源に基づいて得られた電源の供給が開始される。
【発明の効果】
【００３５】
本発明によれば、外部の電源に接続されてから所定の時間経過後に自動的に通電させることができる。
【図面の簡単な説明】
【００３６】
【図１】FTTRを用いた通信システムの構成例を示す図である。
【図２】遠隔装置の設置の一連の手順を示す図である。
【図３】本発明の一実施形態に係る遠隔装置の構成例を示すブロック図である。
【図４】電源制御回路の構成例を示す回路図である。
【図５】電源制御回路の他の構成例を示す回路図である。
【図６】電源線の各位置における直流電源の例を示す図である。
【図７】通信システムの構成例を示す図である。
【図８】設定ファイルの内容の例を示す図である。
【図９】図７の通信システムの処理について説明するフローチャートである。
【図１０】信号処理回路の機能構成例を示すブロック図である。
【図１１】認証サーバのハードウエア構成例を示すブロック図である。
【図１２】認証サーバの機能構成例を示すブロック図である。
【図１３】ファイル管理サーバの機能構成例を示すブロック図である。
【図１４】他の通信システムの構成例を示す図である。
【図１５】図１４の通信システムの処理について説明するフローチャートである。
【図１６】制御サーバの機能構成例を示すブロック図である。
【発明を実施するための形態】
【００３７】
図３は、本発明の一実施形態に係る遠隔装置１の構成例を示すブロック図である。
【００３８】
図１を参照して説明したように、遠隔装置１は電柱上などに設置される装置であり、ONUを介して光ファイバ回線に接続されるとともに、メタリック回線に接続される。ONUとの間はLANケーブルなどによって接続される。遠隔装置１は、例えば、通信サービスの加入者宅内に設置されているモデムなどの宅内装置（屋内装置）とメタリック回線を介してVDSL方式で通信を行うVDSL装置である。
【００３９】
図３に示すように、遠隔装置１は、電源制御回路１１と信号処理回路１２から構成される。
【００４０】
電源制御回路１１には、一端が遠隔装置１の外部に延びる電源線１Ａが接続される。電源制御回路１１と信号処理回路１２は電源線１Ｂによって接続される。図２の作業＃４が行われることによって、電源線１Ａは電柱に架けられている電力線などに接続される。
【００４１】
電源制御回路１１は、電源線１Ａから供給された交流電源を直流電源に変換し、直流電源を信号処理回路１２に供給する。また、電源制御回路１１は、内部に設けられるスイッチを切り替えることによって電源のオン／オフを制御する。
【００４２】
信号処理回路１２は、電源制御回路１１により生成された直流電源によって動作する。信号処理回路１２は、ONUから送信されてきたデータをメタリック回線を介して宅内装置に送信し、宅内装置から送信されてきたデータをONUに出力して光ファイバ回線を介して外部の装置に送信させる。
【００４３】
以下、適宜、ONUにより行われる、光ファイバ回線を介した通信を遠隔装置１が行うものとして説明する。光ファイバ回線を介して送信されてきたデータを遠隔装置１が受信することは実際にはONUを介して行われる。また、光ファイバ回線を介して遠隔装置１がデータを送信することは実際にはONUを介して行われる。
【００４４】
このような構成を有する遠隔装置１は、商用電源に接続されてから所定の時間経過後に、作業者の操作によらずに自動的に電源をオンにして起動する機能を有する。
【００４５】
これにより、図２を参照して説明したような、電源をオンにするための作業である作業＃５を省くことが可能になる。
【００４６】
また、遠隔装置１は、電源をオンにして起動した後、通信を行うために必要な各種の設定を自動的に行う機能を有する。光ファイバ回線を介して通信を行う場合、遠隔装置１には例えばグローバルIPアドレスが設定されている必要があるが、この設定が自動的に行われることになる。
【００４７】
これにより、FTTR方式の通信サービスを提供しようとする事業者は、遠隔装置１を電柱上に設置する図２の作業＃１の前に、管理用のパーソナルコンピュータにケーブルなどを使って遠隔装置１を繋ぎ、パーソナルコンピュータからグローバルIPアドレスを設定するなどの作業を行わないで済む。
【００４８】
＜電源の自動投入機能について＞
［ARB(Auto Reset Breaker)を用いた例］
図４は、図３の電源制御回路１１の構成例を示す回路図である。
【００４９】
図４に示すように、電源制御回路１１は、ARB２１、保護回路（SPD(Surge Protect Device)）２２、およびAC/DC変換回路２３から構成される。
【００５０】
ARB２１には電源線１Ａが接続される。図２の作業＃４が行われることによって遠隔装置１が商用電源に接続されたとき、ARB２１には交流電源が供給される。ARB２１と保護回路２２は電源線１１Ａによって接続され、保護回路２２とAC/DC変換回路２３は電源線１１Ｂによって接続される。AC/DC変換回路２３には、信号処理回路１２に電源を供給するラインである電源線１Ｂが接続される。
【００５１】
ARB２１は、入力回路３１、操作回路３２、制御回路３３、電源回路３４、およびスイッチ３５から構成される。
【００５２】
入力回路３１は、交流電源が供給されることによって生じる電圧の変化、または電流の変化を検出する。入力回路３１は、電圧の変化、または電流の変化を検出した場合、そのことを表す信号を操作回路３２に出力する。
【００５３】
操作回路３２は、電圧の変化、または電流の変化が検出されてから、あらかじめ設定された３０秒などの所定の時間が経過した場合、スイッチ３５をオンにする操作を行うよう制御回路３３に信号を出力する。
【００５４】
制御回路３３は、操作回路３２から信号が供給されることに応じて図示せぬモータを駆動させ、オフの状態になっているスイッチ３５をオンにする。
【００５５】
すなわち、電柱上に設置する作業である図２の作業＃１、メタリック回線に接続する作業である作業＃２、光ファイバ回線に接続する作業である作業＃３、商用電源に接続する作業である作業＃４が行われている間、常に、遠隔装置１のスイッチ３５はオフになっている。スイッチ３５がオンになることにより、ARB２１と保護回路２２を介して交流電源がAC/DC変換回路２３に供給される。
【００５６】
電源回路３４は、スイッチ３５と電源線１１Ａの間の位置に接続される。電源回路３４は、スイッチ３５がオンになった後、オフになる動作をスイッチ３５が繰り返すかどうかを監視する。
【００５７】
スイッチ３５は一般的な漏電ブレーカであるから、漏電が発生し、過負荷になった場合、オフになる。そのようにしてオフになった場合であってもARB２１の機能によって所定の時間経過後にスイッチ３５は再度オンになるから、実際に漏電が発生しているときにはスイッチ３５はオン、オフを繰り返すことになる。
【００５８】
電源回路３４は、オフになる動作をスイッチ３５が繰り返していることを検出した場合、それ以上オンにさせないように、スイッチ３５をオンにする動作を制御回路３３に停止させる。
【００５９】
保護回路２２は、後段にある信号処理回路１２などを落雷等による異常電流から保護する。
【００６０】
AC/DC変換回路２３はトランス４１と整流回路４２から構成される。トランス４１は、スイッチ３５がオンになっているときに電源線１１Ｂを介して供給される交流電源を直流電源に変換する。
【００６１】
整流回路４２は、トランス４１から供給される電流を整流し、整流後の電流を出力することによって信号処理回路１２に直流電源を供給する。遠隔装置１が交流電源に接続され、電圧の変化、または電流の変化が検出されてから所定の時間経過後に、信号処理回路１２は動作可能になることになる。
【００６２】
このように、図４の電源制御回路１１においては、ARB２１を用いることによって電源の自動投入機能が実現される。
【００６３】
通常、ARBは、無人の無線通信中継局等において商用電力の引き込み口のブレーカが異常電流によってトリップした場合にそれを再投入するために用いられるものであるが、遠隔装置１においては、商用電源の接続後に、いわば、電源を遅延して投入するために用いられる。
【００６４】
交流電源の供給が開始されてから所定の時間経過後に自動的に電源がオンになり、信号処理回路１２も動作可能になるから、遠隔装置１の電源をオンにするための作業である図２の作業＃５を省くことが可能になる。
【００６５】
［電源供給回路を用いた例］
図５は、電源制御回路１１の他の構成例を示す回路図である。
【００６６】
図５の電源制御回路１１は、保護回路５１と電源供給回路５２から構成される。
【００６７】
保護回路５１には電源線１Ａが接続される。図２の作業＃４が行われることによって遠隔装置１が商用電源に接続されたとき、電源供給回路５２には、保護回路５１を介して交流電源が供給される。保護回路５１と電源供給回路５２は電源線１１ａによって接続される。電源供給回路５２には、信号処理回路１２に電源を供給するラインである電源線１Ｂが接続される。
【００６８】
保護回路５１は、後段にある電源供給回路５２や信号処理回路１２を落雷等による異常電流から保護する。また、保護回路５１は、遠隔装置１の漏電などによって、電力会社の機器側に負荷がかからないようにする機能も有する。保護回路５１内のFuseによってこの機能が実現される。
【００６９】
電源供給回路５２は、トランス６１、整流回路６２、コントローラユニット６３、およびスイッチ６４から構成される。コントローラユニット６３は電源回路７１と制御回路７２から構成される。
【００７０】
トランス６１は、外部から供給される交流電源を直流電源に変換する。
【００７１】
整流回路６２は、トランス６１から供給される電流を整流し、整流後の電流を出力することによって直流電源を後段の回路に供給する。
【００７２】
コントローラユニット６３の電源回路７１は、整流回路６２とスイッチ６４の間の位置に接続され、整流回路６２により生成された直流電源によって内部のマイクロコンピュータが起動する。起動したマイクロコンピュータは制御回路７２を制御する。
【００７３】
電源回路７１内のマイクロコンピュータは、起動してから、あらかじめ設定されている時間が経過した場合、スイッチ６４をオンにする操作を行うよう制御回路７２に信号を出力する。
【００７４】
制御回路７２は、電源回路７１内のマイクロコンピュータから信号が供給されることに応じて図示せぬモータを駆動させ、オフの状態になっているスイッチ６４をオンにする。
【００７５】
電圧の変化、または電流の変化が検出されてから３０秒などの所定の時間経過後に、直流電源がスイッチ６４を介して信号処理回路１２に供給されることになる。
【００７６】
図６Ａ，Ｂは、図５の電源制御回路１１内の各位置における直流電源の例を示す図である。図６Ａ，Ｂの縦軸は例えば電圧を表し、横軸は時間を表す。
【００７７】
図６Ａは、図５において点線で囲んで示す、整流回路６２とスイッチ６４の間の位置である位置Ｐ１における電圧値を表す。商用電源に接続され、交流電源の供給が開始された時刻を時刻０とすると、位置Ｐ１における電圧値は時刻０からほぼ一定の値になる。
【００７８】
図６Ｂは、図５において点線で囲んで示す、電源供給回路５２と信号処理回路１２の間の位置である位置Ｐ２における電圧値を表す。商用電源に接続され、交流電源の供給が開始された時刻を時刻０とすると、位置Ｐ２における電圧値は、時刻０から時刻ｔまでは０になり、時刻ｔ以降はほぼ一定の値になる。時刻０から時刻ｔまでの時間が、あらかじめ設定された３０秒や１分などの時間に相当する。
【００７９】
このように、図５の電源制御回路１１においては、直流電源を生成する回路と、その回路により生成された直流電源の供給を制御する回路を内部に有する電源供給回路５２を用いることによって電源の自動投入機能が実現される。
【００８０】
これによっても、遠隔装置１の電源をオンにするための作業である図２の作業＃５を省くことが可能になる。
【００８１】
＜通信のための自動設定機能について＞
［遠隔装置がコマンドを実行して設定ファイルを取得する例］
以上のようにして電源がオンになった後、遠隔装置１においては、外部の装置と通信を行うための、グローバルIPアドレスなどの設定が自動的に行われる。
【００８２】
図７は、遠隔装置１の自動設定機能を実現する通信システムの構成例を示す図である。
【００８３】
図７に示すように、この通信システムは、遠隔装置１が、光ファイバ回線１０１を介してインターネットなどよりなるネットワーク１０２に接続されることによって構成される。ネットワーク１０２には、認証サーバ１０３とファイル管理サーバ１０４もそれぞれ接続されている。認証サーバ１０３とファイル管理サーバ１０４は、例えば、FTTR方式の通信サービスを提供する通信事業者により管理されるサーバである。
【００８４】
上述したように、実際には、遠隔装置１にはONUが接続され、このONUが、局舎内の装置であり、ネットワーク１０２に接続されるOLTと光ファイバ回線１０１を介して接続される。遠隔装置１がネットワーク１０２上の装置との間で行う通信は、ONU、光ファイバ回線１０１、OLT、およびネットワーク１０２を介して行われることになる。図７の例においては、１本の回線である光ファイバ回線１０１だけが示されているが、ネットワーク１０２には複数の光ファイバ回線が接続される。
【００８５】
全体の流れについては後述するが、遠隔装置１は、電源がオンになった後、グローバルIPアドレスを認証サーバ１０３から取得し、取得したグローバルIPアドレスを自身のIPアドレスとして設定する。グローバルIPアドレスは、パケットのヘッダに格納するなどして、ネットワーク１０２上の装置とデータの送受信を行うために用いられる。
【００８６】
グローバルIPアドレスを認証サーバ１０３から取得することは、遠隔装置１が接続されるONUの認証が認証サーバ１０３により行われ、認証が成功したときに行われる。認証が成功したとき、認証サーバ１０３から送信されたグローバルIPアドレスは、ネットワーク１０２、OLT、光ファイバ回線１０１、ONUを介して遠隔装置１に転送され、取得される。
【００８７】
また、遠隔装置１は、グローバルIPアドレスを設定した後、あらかじめ用意されたコマンドを実行することによってファイル管理サーバ１０４にアクセスし、FTP(File Transfer Protocol)やTFTP(Trivial File Transfer Protocol)などのプロトコルに従って、遠隔装置１用のものとして用意された設定ファイルをファイル管理サーバ１０４から取得する。
【００８８】
遠隔装置１の内部のメモリにはコマンドのリストが遠隔装置１の製造時などに格納されている。グローバルIPアドレスの設定が完了した後、遠隔装置１はそのリストをメモリから読み出し、読み出したリストに記述されているコマンドを順に実行する。
【００８９】
図８は、設定ファイルの内容の例を示す図である。
【００９０】
図８に示すように、設定ファイルには、遠隔装置１のグローバルIPアドレス、遠隔装置１の設置位置から、光ファイバ回線１０１を介して接続される局舎までの距離の情報、遠隔装置１の配下にある宅内装置に割り当てるグローバルIPアドレスを記述したテーブルが記述されている。設定ファイルには、その他、サービス提供に必要な各種の設定に関する情報が記述される。
【００９１】
遠隔装置１には複数の宅内装置がメタリック回線を介して接続される。遠隔装置１は、それぞれの宅内装置にグローバルIPアドレスを割り当て、グローバルIPアドレスによってそれぞれの宅内装置を識別する。
【００９２】
このような情報が記述される遠隔装置１用の設定ファイルのファイル名には、図８に示すように、遠隔装置１のグローバルIPアドレスと同じ文字列（数字、ドット（「．」）の列）が含まれている。ファイル名により、遠隔装置１用の設定ファイルがどのファイルであるのかがファイル管理サーバ１０４により特定される。
【００９３】
図８の例においては、遠隔装置１のグローバルIPアドレスは「192.168.XXX.XXX」であり、これと同じ文字列を含む「192.168.XXX.XXX」が、遠隔装置１用の設定ファイルのファイル名として設定されている。
【００９４】
図７の説明に戻り、認証サーバ１０３は、遠隔装置１が接続されるONUの認証を、例えばONUの識別情報であるONU-IDに基づいて行う。認証サーバ１０３は、認証が成功した場合、遠隔装置１に割り当てるものとしてあらかじめ登録されているグローバルIPアドレスを遠隔装置１に送信する。
【００９５】
遠隔装置１を設置して光ファイバ回線１０１に接続することが決まった段階で、遠隔装置１に割り当てるグローバルIPアドレスが通信事業者により決定されている。認証サーバ１０３には、そのようにして決定されたグローバルIPアドレスが、遠隔装置１が接続される予定のONUの識別情報であるONU-IDと対応付けて通信事業者によって登録されている。
【００９６】
例えば、認証サーバ１０３は、RADIUS(Remote Authentication Dial In User Service)のプロトコルに従ってONUの認証を行うRADIUSサーバである。RADIUSは、ネットワーク資源の利用を許可するか否かの判断（認証）と、ネットワーク資源を利用したことのログを取ることを一元化してサーバ上で行うためのプロトコルである。
【００９７】
ファイル管理サーバ１０４は、遠隔装置１からの要求に応じて、遠隔装置１用の設定ファイルを特定し、特定した設定ファイルを遠隔装置１に送信する。ファイル管理サーバ１０４には、図８に示すような設定ファイルが通信事業者によりあらかじめ登録されている。
【００９８】
ここで、図９のフローチャートを参照して、図７の通信システムの各装置の処理について説明する。図９においては、遠隔装置１が接続されるONUの処理についても遠隔装置１の処理として示している。
【００９９】
遠隔装置１の電源がオンになった後、ステップＳ１において、遠隔装置１が接続されるONUは、自身のONU-IDを認証サーバ１０３に送信し、認証サーバ１０３との間で認証を行う。
【０１００】
ステップＳ１１において、認証サーバ１０３は、認証が成功した場合、そのことをONUに通知する。
【０１０１】
ステップＳ２において、遠隔装置１が接続されるONUは、グローバルIPアドレスの送信を認証サーバ１０３に要求する。
【０１０２】
ステップＳ１２において、認証サーバ１０３は、遠隔装置１が接続されるONUからの要求を受信し、遠隔装置１が接続されるONUのONU-IDに対応付けて登録されているグローバルIPアドレスをあらかじめ登録されているグローバルIPアドレスの中から特定する。
【０１０３】
ステップＳ１３において、認証サーバ１０３は、特定したグローバルIPアドレスを送信する。認証サーバ１０３から送信されたグローバルIPアドレスは、ネットワーク１０２、OLT、光ファイバ回線１０１、ONUを介して遠隔装置１に転送される。
【０１０４】
ステップＳ３において、遠隔装置１はグローバルIPアドレスを取得し、自分自身のIPアドレスとして設定する。
【０１０５】
ステップＳ４において、遠隔装置１は、コマンドのリストをメモリから読み出し、リストに登録されている第１のコマンドを実行することによって、自身のグローバルIPアドレスと同じ文字列を含むファイル名が設定された設定ファイルの送信をファイル管理サーバ１０４に要求する。ここで実行されるコマンドには、アクセス先となるファイル管理サーバ１０４のグローバルIPアドレスなどの情報も含まれている。
【０１０６】
ステップＳ２１において、ファイル管理サーバ１０４は、遠隔装置１からの要求を受信し、遠隔装置１のグローバルIPアドレスと同じ文字列を含むファイル名が設定された設定ファイルを、あらかじめ登録されている設定ファイルの中から特定する。
【０１０７】
ステップＳ２２において、ファイル管理サーバ１０４は、特定した設定ファイルを送信する。ファイル管理サーバ１０４から送信された設定ファイルは、ネットワーク１０２、OLT、光ファイバ回線１０１、ONUを介して遠隔装置１に転送される。
【０１０８】
ステップＳ５において、遠隔装置１は設定ファイルを取得する。
【０１０９】
ステップＳ６において、遠隔装置１は、コマンドのリストに登録されている第２のコマンドを実行することによって、取得した設定ファイルをスタートアップ設定のフォルダ内にコピーし、再起動する。再起動した後、スタートアップ設定のフォルダ内に格納された設定ファイルの内容に従って、配下の宅内装置にグローバルIPアドレスを割り当てるなどの各種の処理が行われる。
【０１１０】
第１のコマンドを実行してファイル管理サーバ１０４から設定ファイルをダウンロードすることと、第２のコマンドを実行して設定ファイルをスタートアップ設定のフォルダ内にコピーして再起動することは、あらかじめ設定された間隔で、または、毎日の１２時といったようにあらかじめ設定された時刻に、繰り返し行われる。
【０１１１】
コマンドの実行が繰り返し行われることにより、配下の宅内装置の数が増えたことなどによって設定ファイルの内容を更新させる必要が生じた場合であっても、内容を更新した設定ファイルをファイル管理サーバ１０４に用意しておくことによって、設定ファイルの内容を更新させることが可能になる。遠隔装置１においては、例えば、更新した設定ファイルをダウンロードしたとき、それまでの設定ファイルに上書きして設定ファイルが記憶される。
【０１１２】
このように、遠隔装置１においては、電源がオンになった後、通信を行うための各種の設定が自動的に行われる。この例においては、グローバルIPアドレスを設定することと、設定ファイルをスタートアップ設定のフォルダ内にコピーすることが、通信を行うための設定となる。サーバから取得した情報に基づいて設定可能なものであれば、他の設定が自動的に行われるようにしてもよい。
【０１１３】
このような設定が自動的に行われないとした場合、メーカから購入し、倉庫に保管しておいた遠隔装置を特定の作業場に持ち運び、梱包から取り出し、管理用のパーソナルコンピュータに接続させて、グローバルIPアドレスなどの設定をパーソナルコンピュータから行うといった作業を通信事業者の作業者が行う必要があるが、そのような手間を省くことが可能になる。
【０１１４】
すなわち、人的なリソースを増やすことなく、また、コストを増加させることなく、遠隔装置の設定が可能になる。遠隔装置を設置する前に各種の設定を行っておく必要がないから、倉庫に保管しておいた遠隔装置を倉庫から設置場所に直接運び、電柱などに設置する作業である図２の作業＃１を行うことが可能になる。
【０１１５】
［各装置の構成］
図１０は、以上のような自動設定機能を実現する信号処理回路１２の機能構成例を示すブロック図である。
【０１１６】
図１０に示すように、信号処理回路１２は、通信制御部１１１と制御部１１２から構成される。制御部１１２は、IPアドレス取得部１２１、設定ファイル取得部１２２、およびコマンド実行部１２３から構成される。電源制御回路１１から電源が供給されたとき、図１０に示すような構成が信号処理回路１２において実現される。
【０１１７】
通信制御部１１１は、ONUと通信を行うとともに、メタリック回線を介して宅内装置とも通信を行う。通信制御部１１１は、ONUから送信されてきたデータを受信して宅内装置に送信し、宅内装置から送信されてきたデータを受信してONUに送信する。
【０１１８】
通信制御部１１１は、認証サーバ１０３から送信され、ONU等を介して転送されてきたグローバルIPアドレスを受信し、制御部１１２に出力する。また、通信制御部１１１は、制御部１１２による制御に従って、設定ファイルの送信をファイル管理サーバ１０４に要求したり、要求に応じてファイル管理サーバ１０４から送信され、ONU等を介して転送されてきた設定ファイルを受信し、制御部１１２に出力したりする。
【０１１９】
制御部１１２のIPアドレス取得部１２１は、通信制御部１１１から供給されたグローバルIPアドレスを取得し、自身の識別情報として設定する。
【０１２０】
設定ファイル取得部１２２は、通信制御部１１１を制御し、設定ファイルの送信をファイル管理サーバ１０４に要求する。設定ファイル取得部１２２からの要求には、IPアドレス取得部１２１により設定されたグローバルIPアドレスも含まれている。
【０１２１】
また、設定ファイル取得部１２２は、通信制御部１１１から供給された設定ファイルを取得し、スタートアップ設定のフォルダ内に格納して管理する。通信制御部１１１がグローバルIPアドレスを宅内装置に割り当てるときなどに、設定ファイル取得部１２２により管理されている設定ファイルの内容が参照される。
【０１２２】
コマンド実行部１２３は、図示せぬメモリからコマンドのリストを読み出し、読み出したリストに記述されているコマンドを実行する。設定ファイル取得部１２２による設定ファイルの送信の要求や、設定ファイルのスタートアップ設定へのコピー等は、コマンド実行部１２３によりコマンドが実行されることによって行われる。
【０１２３】
図１１は、認証サーバ１０３のハードウエア構成例を示すブロック図である。
【０１２４】
CPU(Central Processing Unit)１３１、ROM(Read Only Memory)１３２、RAM(Random Access Memory)１３３は、バス１３４により相互に接続されている。
【０１２５】
バス１３４には、さらに、入出力インタフェース１３５が接続されている。入出力インタフェース１３５には、キーボード、マウスなどよりなり、グローバルIPアドレスやONU-IDの入力などに通信事業者の作業者により用いられる入力部１３６、ディスプレイなどよりなる出力部１３７が接続される。
【０１２６】
また、バス１３４には、ハードディスクや不揮発性のメモリなどよりなる記憶部１３８、ネットワークインタフェースなどよりなる通信部１３９、リムーバブルメディア１４１を駆動するドライブ１４０が接続される。記憶部１３８には、設置することが決定された遠隔装置に割り当てるグローバルIPアドレスと、その遠隔装置が接続される予定のONUのONU-IDが対応付けて記憶される。
【０１２７】
このような構成を有する認証サーバ１０３においては、CPU１３１が、例えば、記憶部１３８に記憶されているプログラムを入出力インタフェース１３５及びバス１３４を介してRAM１３３にロードして実行することにより上述した一連の処理が行われる。
【０１２８】
このようなコンピュータによって認証サーバ１０３は構成される。また、ファイル管理サーバ１０４や、後述する制御サーバ１０５も同様に図１１に示すようなハードウエア構成を有する。以下、適宜、図１１に示す構成を、ファイル管理サーバ１０４、制御サーバ１０５の構成として引用して説明する。
【０１２９】
図１２は、認証サーバ１０３の機能構成例を示すブロック図である。
【０１３０】
図１２に示す構成は、認証サーバ１０３のCPU１３１により所定のプログラムが実行されることによって実現される。図１２に示すように、認証サーバ１０３においては認証部１５１と送信制御部１５２が実現される。
【０１３１】
認証部１５１は、通信部１３９を制御して、遠隔装置１が接続されるONUと通信を行い、ONUの認証を行う。例えば、認証の対象になるONUからは、そのONUにあらかじめ設定されているONU-IDが送信されてくる。認証部１５１は、記憶部１３８に記憶されているONU-IDを参照するなどして、ONU-IDを送信してきたONUが不正に設置されたものでないか否かを確認し、確認結果を表す信号を送信制御部１５２に出力する。
【０１３２】
送信制御部１５２は、認証が成功したことを表す信号が認証部１５１から供給された場合、認証の対象になっているONUのONU-IDと対応付けて記憶部１３８に記憶されているグローバルIPアドレスを読み出す。送信制御部１５２は、通信部１３９を制御し、記憶部１３８から読み出したグローバルIPアドレスを認証が成功したONUに送信し、遠隔装置１に転送させる。
【０１３３】
図１３は、ファイル管理サーバ１０４の機能構成例を示すブロック図である。
【０１３４】
図１３に示す構成は、ファイル管理サーバ１０４のCPU１３１（図１１）により所定のプログラムが実行されることによって実現される。図１３に示すように、ファイル管理サーバ１０４においてはファイル検索部１６１と送信制御部１６２が実現される。
【０１３５】
ファイル検索部１６１は、通信部１３９を制御して遠隔装置１と通信を行い、設定ファイルの送信が遠隔装置１から要求された場合、グローバルIPアドレスと同じ文字列を含むファイル名が設定された設定ファイルを記憶部１３８に記憶されている設定ファイルを対象として検索する。
【０１３６】
ファイル管理サーバ１０４の記憶部１３８には、各遠隔装置用の設定ファイルが記憶されている。それぞれの設定ファイルのファイル名には、各遠隔装置のグローバルIPアドレスと同じ文字列が含まれている。ファイル検索部１６１は、検索によって取得した設定ファイルを送信制御部１６２に出力する。
【０１３７】
送信制御部１６２は、ファイル検索部１６１から設定ファイルが供給された場合、通信部１３９を制御し、供給された設定ファイルを、設定ファイルの送信を要求した遠隔装置１に送信する。
【０１３８】
以上のような構成を有する各装置により図９を参照して説明した処理が行われる。
【０１３９】
［遠隔装置に対する設定ファイルの提供が制御サーバにより行われる例］
図１４は、遠隔装置１の自動設定機能を実現する他の通信システムの構成例を示す図である。
【０１４０】
図１４において、図７に示す構成と同じ構成には同じ符号を付してある。図１４の通信システムは、ネットワーク１０２に接続されるサーバとして、制御サーバ１０５が追加して設けられている点で図７の構成と異なる。制御サーバ１０５も、例えば、FTTR方式の通信サービスを提供する通信事業者により管理されるサーバである。
【０１４１】
図７の例においては、設定ファイルを取得することが、あらかじめ用意されているコマンドが遠隔装置１により実行されることによって行われるものとしたが、この例においては、制御サーバ１０５による制御に従って行われるようになされている。
【０１４２】
制御サーバ１０５には、設置することが決定された遠隔装置に割り当てるグローバルIPアドレスのリストが登録されている。
【０１４３】
制御サーバ１０５は、リストに登録されているグローバルIPアドレスの疎通の確認、すなわち、設置することが決定された遠隔装置が通信可能な状態でネットワーク１０２に接続されているか否かを定期的に確認する。
【０１４４】
遠隔装置１が設置され、電源がオンとなり、上述したような処理によってグローバルIPアドレスを認証サーバ１０３から取得して設定した場合、遠隔装置１は通信可能な状態になる。
【０１４５】
遠隔装置１が通信可能な状態であることを確認した場合、制御サーバ１０５は、遠隔装置１のグローバルIPアドレスを、ネットワーク１０２を介してファイル管理サーバ１０４に送信する。
【０１４６】
また、制御サーバ１０５は、送信したグローバルIPアドレスと同じ文字列を含むファイル名が設定された設定ファイルを、そのグローバルIPアドレスが設定されている装置である遠隔装置１を送信先として送信させる。ファイル管理サーバ１０４から送信された設定ファイルは、ネットワーク１０２、OLT、光ファイバ回線１０１、ONUを介して遠隔装置１に転送され、取得される。
【０１４７】
このように、遠隔装置１が主体となって設定ファイルを取得するのではなく、制御サーバ１０５による制御に従って、サーバ側が主体となって設定ファイルの提供が行われるようにしてもよい。
【０１４８】
ここで、図１５のフローチャートを参照して、図１４の通信システムの各装置の処理について説明する。図１５においても、遠隔装置１が接続されるONUの処理については遠隔装置１の処理として示している。図１５の処理のうち、グローバルIPアドレスの設定に関する処理は図９を参照して説明した処理と同様の処理である。
【０１４９】
ステップＳ３１において、遠隔装置１が接続されるONUは認証サーバ１０３との間で認証を行う。
【０１５０】
認証が成功した場合、ステップＳ４１において、認証サーバ１０３はそのことをONUに通知する。
【０１５１】
ステップＳ３２において、遠隔装置１が接続されるONUは、グローバルIPアドレスの送信を認証サーバ１０３に要求する。
【０１５２】
ステップＳ４２において、認証サーバ１０３は、遠隔装置１が接続されるONUからの要求を受信し、ステップＳ４３においてグローバルIPアドレスを送信する
【０１５３】
ステップＳ３３において、遠隔装置１はグローバルIPアドレスを取得し、自身のIPアドレスとして設定する。
【０１５４】
一方、ステップＳ６１において、制御サーバ１０５は、リストに登録されているグローバルIPアドレスに基づいて、通信可能な状態にある遠隔装置の探索を定期的に行っている。遠隔装置１においてステップＳ３３の処理が行われ、グローバルIPアドレスが設定された場合、制御サーバ１０５による探索によって、遠隔装置１が通信可能な状態にあることが確認される。
【０１５５】
ステップＳ６２において、制御サーバ１０５は、遠隔装置１のグローバルIPアドレスをファイル管理サーバ１０４に送信し、送信したグローバルIPアドレスと同じ文字列を含むファイル名が設定された設定ファイルを、そのグローバルIPアドレスが設定された遠隔装置１を送信先として送信することを要求する。
【０１５６】
ステップＳ５１において、ファイル管理サーバ１０４は、制御サーバ１０５からの要求を受信し、遠隔装置１のグローバルIPアドレスと同じ文字列を含むファイル名が設定された設定ファイルを、あらかじめ登録されている設定ファイルの中から特定する。
【０１５７】
ステップＳ５２において、ファイル管理サーバ１０４は、特定した設定ファイルを送信する。
【０１５８】
ステップＳ３４において、遠隔装置１は設定ファイルを取得する。
【０１５９】
ステップＳ３５において、遠隔装置１は、取得した設定ファイルをスタートアップ設定のフォルダ内にコピーし、再起動する。
【０１６０】
以上の処理によっても、電源がオンになった後、通信を行うための各種の設定を遠隔装置１に行わせることが可能になる。
【０１６１】
［各装置の構成］
図１５の処理を行う遠隔装置１の信号処理回路１２は、基本的に、図１０に示す構成と同じ構成を有する。また、認証サーバ１０３、ファイル管理サーバ１０４も、基本的に、それぞれ、図１２、図１３に示す構成と同じ構成を有する。重複する説明については適宜省略する。
【０１６２】
信号処理回路１２の設定ファイル取得部１２２（図１０）は、制御サーバ１０５による要求に応じてファイル管理サーバ１０４から送信されてきた設定ファイルを取得する。コマンド実行部１２３はコマンドを実行し、取得した設定ファイルのスタートアップ設定へのコピー等を設定ファイル取得部１２２に行わせる。
【０１６３】
ファイル管理サーバ１０４のファイル検索部１６１（図１３）は、要求とともに制御サーバ１０５から送信されてきたグローバルIPアドレスと同じ文字列を含むファイル名が設定された設定ファイルを記憶部１３８に記憶されている設定ファイルの中から取得する。通信可能な状態にある遠隔装置１が制御サーバ１０５において検出された場合、その遠隔装置１のグローバルIPアドレスとともに、設定ファイルを送信することの要求が制御サーバ１０５から送信されてくる。
【０１６４】
図１６は、制御サーバ１０５の機能構成例を示すブロック図である。
【０１６５】
図１６に示す構成は、制御サーバ１０５のCPU１３１（図１１）により所定のプログラムが実行されることによって実現される。図１６に示すように、制御サーバ１０５においては疎通検出部１７１と送信制御部１７２が実現される。
【０１６６】
疎通検出部１７１は、記憶部１３８に記憶されているグローバルIPアドレスを参照し、設置することが決定された遠隔装置が通信可能な状態にあるか否かを定期的に確認する。通信可能な状態であるか否かの確認は、例えば、それぞれのグローバルIPアドレスに対してPINGを送信することによって行われる。
【０１６７】
制御サーバ１０５の記憶部１３８には、設置することが決定された遠隔装置のグローバルIPアドレスのリストが記憶されている。疎通検出部１７１は、通信可能な状態である遠隔装置を検出した場合、検出した遠隔装置のグローバルIPアドレスを送信制御部１７２に出力する。
【０１６８】
送信制御部１７２は、疎通検出部１７１からグローバルIPアドレスが供給された場合、供給されたグローバルIPアドレスと同じ文字列を含むファイル名が設定された設定ファイルを、そのグローバルIPアドレスが設定されている遠隔装置を送信先として送信することをファイル管理サーバ１０４に要求する。
【０１６９】
以上のような構成を有する各装置により図１５を参照して説明した処理が行われる。
【０１７０】
図７においては認証サーバ１０３とファイル管理サーバ１０４が、図１４においては認証サーバ１０３とファイル管理サーバ１０４と制御サーバ１０５が、それぞれ異なるサーバであるものとしたが、１つのサーバによって実現することも可能である。
【０１７１】
また、以上においては、遠隔装置とONUが別の装置であるものとしたが、一体の装置とすることも可能である。
【０１７２】
本発明の実施の形態は、上述した実施の形態に限定されるものではなく、本発明の要旨を逸脱しない範囲において種々の変更が可能である。
【符号の説明】
【０１７３】
１  遠隔装置，  １１  電源制御回路，  １２  信号処理回路，  ２１  ARB，  ２３  AC/DC変換回路，  ５２  電源供給回路，  １０１  光ファイバ回線，  １０２  ネットワーク，  １０３  認証サーバ，  １０４  ファイル管理サーバ，  １０５  制御サーバ
【図１】
2010239746.tif 000003
【図２】
2010239746.tif 000004
【図３】
2010239746.tif 000005
【図４】
2010239746.tif 000006
【図５】
2010239746.tif 000007
【図６】
2010239746.tif 000008
【図７】
2010239746.tif 000009
【図８】
2010239746.tif 000010
【図９】
2010239746.tif 000011
【図１０】
2010239746.tif 000012
【図１１】
2010239746.tif 000013
【図１２】
2010239746.tif 000014
【図１３】
2010239746.tif 000015
【図１４】
2010239746.tif 000016
【図１５】
2010239746.tif 000017
【図１６】
2010239746.tif 000018